【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
被写体である利用者を撮影する撮影手段と、前記撮影手段によって撮影された撮影画像に対する前記利用者の編集操作を受け付け合成画像を生成する編集手段とを備える遊戯用撮影装置であって、
前記合成画像を表示するための画像データをインターネットを介して外部のサーバ装置へ送信する外部送信手段と、
前記サーバ装置にアクセスし前記画像データをダウンロードすることができるアドレスデータであって、前記サーバ装置のＵＲＬまたは当該ＵＲＬに相当する情報を含むアドレスデータを、前記利用者の所持する移動通信端末に向けて非接触通信方式で直接に送信する非接触通信手段と
を備えることを特徴とする、遊戯用撮影装置。
【請求項２】
前記外部送信手段は、前記画像データを他の画像データと識別するための識別データを当該画像データと併せて前記サーバ装置へ送信し、
前記非接触通信手段は、前記サーバ装置のＵＲＬまたは当該ＵＲＬに相当する情報と前記識別データに相当するデータとを含むアドレスデータを前記移動通信端末に向けて送信することを特徴とする、請求項１に記載の遊戯用撮影装置。
【請求項３】
前記非接触通信手段は、前記外部送信手段による前記画像データの送信完了時点が所定の制限時間の到来前である場合には、当該送信完了時点またはその近傍時点に前記アドレスデータを前記移動通信端末に向けて送信し、前記制限時間の到来後である場合には、当該制限時間の到来時点に前記アドレスデータを前記移動通信端末に向けて送信することを特徴とする、請求項１または請求項２に記載の遊戯用撮影装置。
【請求項４】
前記送信完了時点が前記制限時間の到来後である場合には、前記制限時間の到来時点に、前記外部送信手段による前記画像データの送信が完了していないことを所定の画像または音声により利用者に案内する第１案内提示手段をさらに備えることを特徴とする、請求項３に記載の遊戯用撮影装置。
【請求項５】
前記編集手段により得られる合成画像を印刷する印刷手段をさらに備え、
前記非接触通信手段は、前記移動通信端末と電波による近距離型の非接触通信を行うためのアンテナを含むポート部を有しており、少なくとも前記編集操作の受け付けが終了してから前記印刷手段による印刷処理が完了するまでの間に前記アドレスデータを前記移動通信端末に向けて送信することを特徴とする、請求項１から請求項４までのいずれか１項に記載の遊戯用撮影装置。
【請求項６】
前記ポート部は、前記印刷手段の近傍の位置に設けられ、
前記非接触通信手段は、前記印刷手段による印刷処理の実行中に前記アドレスデータを前記移動通信端末に向けて送信することを特徴とする、請求項５に記載の遊戯用撮影装置。
【請求項７】
前記非接触通信手段の近傍に、前記利用者による操作入力を受け付ける操作画面を表示する操作画面表示手段をさらに備え、
前記非接触通信手段は、前記操作画面表示手段において前記操作入力が受け付けられた時点から、前記印刷手段による印刷が完了するまでの間に前記アドレスデータを前記移動通信端末に向けて送信することを特徴とする、請求項５に記載の遊戯用撮影装置。
【請求項８】
前記アドレスデータの前記移動通信端末への送信準備が完了した場合、前記ポート部に前記移動通信端末を近接させるよう前記利用者に対して案内を行う第２案内提示手段をさらに備え、
前記非接触通信手段は、前記第２案内手段による案内中に、前記ポート部に前記移動通信端末が近接したときに、前記アドレスデータを前記移動通信端末に向けて送信することを特徴とする、請求項１から請求項７までのいずれか１項に記載の遊戯用撮影装置。
【請求項９】
前記編集手段により生成された合成画像が複数ある場合、複数の合成画像の中から、１つ以上の合成画像を選択させる選択入力受付手段をさらに備え、
前記外部送信手段は、選択された合成画像と選択されていない合成画像とを区別可能となるように、当該複数の合成画像すべてに係る画像データを前記サーバ装置に送信することを特徴とする、請求項１から請求項８までのいずれか１項に記載の遊戯用撮影装置。
【請求項１０】
請求項１から請求項９までのいずれか１項に記載の遊戯用撮影装置を含む遊戯用撮影システムであって、
前記サーバ装置に送信する画像データに所定の条件を設定する条件設定手段と、
前記条件設定手段によって設定された条件に応じて、前記サーバ装置に記憶された前記画像データのうち削除する画像データを決定する削除画像決定手段と、を有することを特徴とする遊戯用撮影システム。
【請求項１１】
被写体である利用者を撮影する撮影ステップと、前記撮影ステップにおいて撮影された撮影画像に対する前記利用者の編集操作を受け付け合成画像を生成する編集ステップとを備える遊戯用撮影方法であって、
前記合成画像を表示するための画像データをインターネットを介して外部のサーバ装置へ送信する外部送信ステップと、
前記サーバ装置にアクセスし前記画像データをダウンロードすることができるアドレスデータであって、前記サーバ装置のＵＲＬまたは当該ＵＲＬに相当する情報を含むアドレスデータを、前記利用者の所持する移動通信端末に向けて非接触通信方式で直接に送信する非接触通信ステップと
を備えることを特徴とする、遊戯用撮影方法。
【請求項１２】
前記外部送信ステップでは、前記画像データを他の画像データと識別するための識別データを当該画像データと併せて前記サーバ装置へ送信し、
前記非接触通信ステップでは、前記サーバ装置のＵＲＬまたは当該ＵＲＬに相当する情報と前記識別データに相当するデータとを含むアドレスデータを前記移動通信端末に向けて送信することを特徴とする、請求項１１に記載の遊戯用撮影方法。
【請求項１３】
請求項１１に記載の遊戯用撮影方法を含む遊戯用撮影方法であって、
前記サーバ装置に送信する画像データに所定の条件を設定する条件設定ステップと、
前記条件設定ステップにおいて設定された条件に応じて、前記サーバ装置に記憶された前記画像データのうち削除する画像データを決定する削除画像決定ステップと、を有することを特徴とする遊戯用撮影方法。
【請求項１４】
コンピュータに、被写体である利用者を撮影する撮影ステップと、前記撮影ステップにおいて撮影された撮影画像に対する前記利用者の編集操作を受け付け合成画像を生成する編集ステップとを実行させる遊戯用撮影プログラムであって、
前記合成画像を表示するための画像データをインターネットを介して外部のサーバ装置へ送信する外部送信ステップと、
前記サーバ装置にアクセスし前記画像データをダウンロードすることができるアドレスデータであって、前記サーバ装置のＵＲＬまたは当該ＵＲＬに相当する情報を含むアドレスデータを、前記利用者の所持する移動通信端末に向けて非接触通信方式で直接に送信する非接触通信ステップと
を備えることを特徴とする、遊戯用撮影プログラム。
【請求項１５】
前記外部送信ステップでは、前記画像データを他の画像データと識別するための識別データを当該画像データと併せて前記サーバ装置へ送信し、
前記非接触通信ステップでは、前記サーバ装置のＵＲＬまたは当該ＵＲＬに相当する情報と前記識別データに相当するデータとを含むアドレスデータを前記移動通信端末に向けて送信することを特徴とする、請求項１４に記載の遊戯用撮影プログラム。
【手続補正２】
【補正対象書類名】明細書
【補正対象項目名】発明の名称
【補正方法】変更
【補正の内容】
【発明の名称】遊戯用撮影装置、遊戯用撮影方法、および遊戯用撮影プログラム
【手続補正３】
【補正対象書類名】明細書
【補正対象項目名】０００１
【補正方法】変更
【補正の内容】
【０００１】
本発明は、遊戯用撮影装置に関し、特に、利用者をカメラで撮影し、その撮影画像に基づき生成される合成画像を出力する遊戯用撮影装置に関する。
【手続補正４】
【補正対象書類名】明細書
【補正対象項目名】０００９
【補正方法】変更
【補正の内容】
【０００９】
そこで、本発明は、撮影されまたは落書きされた画像の全部または一部をサーバ装置に送信する遊戯用撮影装置であって、例えば利用者にＵＲＬを入力するなどの面倒な操作を要求することなく、簡易な操作でサーバ装置から画像をダウンロードすることが可能となる遊戯用撮影装置を提供することを目的とする。
【手続補正５】
【補正対象書類名】明細書
【補正対象項目名】００１０
【補正方法】変更
【補正の内容】
【００１０】
第１の発明は、被写体である利用者を撮影する撮影手段と、前記撮影手段によって撮影された撮影画像に対する前記利用者の編集操作を受け付け合成画像を生成する編集手段とを備える遊戯用撮影装置であって、
前記合成画像を表示するための画像データをインターネットを介して外部のサーバ装置へ送信する外部送信手段と、
前記サーバ装置にアクセスし前記画像データをダウンロードすることができるアドレスデータであって、前記サーバのＵＲＬまたは当該ＵＲＬに相当する情報を含むアドレスデータを、前記利用者の所持する移動通信端末に向けて非接触通信方式で直接に送信する非接触通信手段と
を備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
第２の発明は、第１の発明において、
前記外部送信手段は、前記画像データを他の画像データと識別するための識別データを当該画像データと併せて前記サーバ装置へ送信し、
前記非接触通信手段は、前記サーバ装置のＵＲＬまたは当該ＵＲＬに相当する情報と前記識別データに相当するデータとを含むアドレスデータを前記移動通信端末に向けて送信することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
第５の発明は、第１から第４までのいずれか１つの発明において、
前記編集手段により得られる合成画像を印刷する印刷手段をさらに備え、
前記非接触通信手段は、前記移動通信端末と電波による近距離型の非接触通信を行うためのアンテナを含むポート部を有しており、少なくとも前記編集操作の受け付けが終了してから前記印刷手段による印刷処理が完了するまでの間に前記アドレスデータを前記移動通信端末に向けて送信することを特徴とする。
【手続補正１０】
【補正対象書類名】明細書
【補正対象項目名】００１５
【補正方法】変更
【補正の内容】
【００１５】
第６の発明は、第５の発明において、
前記ポート部は、前記印刷手段の近傍の位置に設けられ、
前記非接触通信手段は、前記印刷手段による印刷処理の実行中に前記アドレスデータを前記移動通信端末に向けて送信することを特徴とする。
【手続補正１１】
【補正対象書類名】明細書
【補正対象項目名】００１６
【補正方法】変更
【補正の内容】
【００１６】
第７の発明は、第５の発明において、
前記非接触通信手段の近傍に、前記利用者による操作入力を受け付ける操作画面を表示する操作画面表示手段をさらに備え、
前記非接触通信手段は、前記操作画面表示手段において前記操作入力が受け付けられた時点から、前記印刷手段による印刷が完了するまでの間に前記アドレスデータを前記移動通信端末に向けて送信することを特徴とする。
【手続補正１２】
【補正対象書類名】明細書
【補正対象項目名】００１７
【補正方法】変更
【補正の内容】
【００１７】
第８の発明は、第１から第７までのいずれか１つの発明において、
前記アドレスデータの前記移動通信端末への送信準備が完了した場合、前記ポート部に前記移動通信端末を近接させるよう前記利用者に対して案内を行う第２案内提示手段をさらに備え、
前記非接触通信手段は、前記第２案内手段による案内中に、前記ポート部に前記移動通信端末が近接したときに、前記アドレスデータを前記移動通信端末に向けて送信することを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
第９の発明は、第１から第８までのいずれか１つの発明において、
前記編集手段により生成された合成画像が複数ある場合、複数の合成画像の中から、１つ以上の合成画像を選択させる選択入力受付手段をさらに備え、
前記外部送信手段は、選択された合成画像と選択されていない合成画像とを区別可能となるように、当該複数の合成画像すべてに係る画像データを前記サーバ装置に送信することを特徴とする。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
第３の発明は、第１または第２の発明において、
前記非接触通信手段は、前記外部送信手段による前記画像データの送信完了時点が所定の制限時間の到来前である場合には、当該送信完了時点またはその近傍時点に前記アドレスデータを前記移動通信端末に向けて送信し、前記制限時間の到来後である場合には、当該制限時間の到来時点に前記アドレスデータを前記移動通信端末に向けて送信することを特徴とする。
【手続補正１８】
【補正対象書類名】明細書
【補正対象項目名】００２３
【補正方法】変更
【補正の内容】
【００２３】
第４の発明は、第３の発明において、
前記送信完了時点が前記制限時間の到来後である場合には、前記制限時間の到来時点に、前記外部送信手段による前記画像データの送信が完了していないことを所定の画像または音声により利用者に案内する第１案内提示手段をさらに備えることを特徴とする。
第１０の発明は、第１から第９までのいずれか１つの発明に記載の遊戯用撮影装置を含む遊戯用撮影システムであって、
前記サーバに送信する画像データに所定の条件を設定する条件設定手段と、
前記条件設定手段によって設定された条件に応じて、前記サーバに記憶された前記画像データのうち削除する画像データを決定する削除画像決定手段と、を有することを特徴とする遊戯用撮影システムである。
【手続補正１９】
【補正対象書類名】明細書
【補正対象項目名】００２４
【補正方法】変更
【補正の内容】
【００２４】
第１１の発明は、被写体である利用者を撮影する撮影ステップと、前記撮影ステップにおいて撮影された撮影画像に対する前記利用者の編集操作を受け付け合成画像を生成する編集ステップとを備える遊戯用撮影方法であって、
前記合成画像を表示するための画像データをインターネットを介して外部のサーバ装置へ送信する外部送信ステップと、
前記サーバ装置にアクセスし前記画像データをダウンロードすることができるアドレスデータであって、前記サーバのＵＲＬまたは当該ＵＲＬに相当する情報を含むアドレスデータを、前記利用者の所持する移動通信端末に向けて非接触通信方式で直接に送信する非接触通信ステップと
を備えることを特徴とする。
第１２の発明は、第１１の発明において、
前記外部送信ステップでは、前記画像データを他の画像データと識別するための識別データを当該画像データと併せて前記サーバ装置へ送信し、
前記非接触通信ステップでは、前記サーバ装置のＵＲＬまたは当該ＵＲＬに相当する情報と前記識別データに相当するデータとを含むアドレスデータを前記移動通信端末に向けて送信することを特徴とする。
第１３の発明は、第１１の発明に記載の遊戯用撮影方法を含む遊戯用撮影方法であって、
前記サーバ装置に送信する画像データに所定の条件を設定する条件設定ステップと、
前記条件設定ステップにおいて設定された条件に応じて、前記サーバ装置に記憶された前記画像データのうち削除する画像データを決定する削除画像決定ステップと、を有することを特徴とする。
第１４の発明は、コンピュータに、被写体である利用者を撮影する撮影ステップと、前記撮影ステップにおいて撮影された撮影画像に対する前記利用者の編集操作を受け付け合成画像を生成する編集ステップとを実行させる遊戯用撮影プログラムであって、
前記合成画像を表示するための画像データをインターネットを介して外部のサーバ装置へ送信する外部送信ステップと、
前記サーバ装置にアクセスし前記画像データをダウンロードすることができるアドレスデータであって、前記サーバ装置のＵＲＬまたは当該ＵＲＬに相当する情報を含むアドレスデータを、前記利用者の所持する移動通信端末に向けて非接触通信方式で直接に送信する非接触通信ステップと
を備えることを特徴とする。
第１５の発明は、第１４の発明において、
前記外部送信ステップでは、前記画像データを他の画像データと識別するための識別データを当該画像データと併せて前記サーバ装置へ送信し、
前記非接触通信ステップでは、前記サーバ装置のＵＲＬまたは当該ＵＲＬに相当する情報と前記識別データに相当するデータとを含むアドレスデータを前記移動通信端末に向けて送信することを特徴とする。
【手続補正２０】
【補正対象書類名】明細書
【補正対象項目名】００２５
【補正方法】変更
【補正の内容】
【００２５】
上記第１の発明によれば、編集された合成画像がサーバ装置に送信され、サーバ装置にアクセスし合成画像をダウンロードするためのアドレスデータが利用者の所持する移動通信端末に向けて非接触通信方式で直接に送信されるので、例えば非接触通信用のポートなどに移動通信端末を近づけるなどの簡単な操作で、利用者にＵＲＬなどのアドレスデータを入力するといった面倒な操作を要求することなく、サーバから画像をダウンロードすることが可能となる。また上記第１の発明によれば、インターネットに接続されるサーバ装置のＵＲＬ（または当該ＵＲＬに相当する情報）は、一般的に長い文字列となるが、このＵＲＬを含むアドレスデータが移動通信端末に向けて送信されるので、このアドレスデータを入力する面倒な操作を要求することなく、簡単な操作でサーバから画像をダウンロードすることが可能となる。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
上記第２の発明によれば、ＵＲＬ（または当該ＵＲＬに相当する情報）と識別データに相当するデータとを含むアドレスデータが移動通信端末に向けて送信されるので、利用者に識別データに相当するデータをさらに入力する面倒な操作を要求することなく、簡単な操作でサーバから画像をダウンロードすることが可能となる。
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】変更
【補正の内容】
【００２９】
上記第５の発明によれば、編集操作の受け付けが終了してから印刷処理が完了するまでの間にアドレスデータが移動通信端末に向けて送信されるので、編集の終了前に移動通信端末へ向けてアドレスデータが送信されてしまうことを未然に防止することができる。
【手続補正２５】
【補正対象書類名】明細書
【補正対象項目名】００３０
【補正方法】変更
【補正の内容】
【００３０】
上記第６の発明によれば、印刷手段による印刷処理の実行中にアドレスデータが移動通信端末に向けて送信されるので、送信時点には利用者が確実に印刷手段近傍にいることになる。よって（利用者以外の）他の移動通信端末に対して誤って送信されることを確実に防止でき、また利用者は印刷の待ち時間を利用して上記アドレスデータを受け取る操作を行うことができる。
【手続補正２６】
【補正対象書類名】明細書
【補正対象項目名】００３１
【補正方法】変更
【補正の内容】
【００３１】
上記第７の発明によれば、非接触通信手段の近傍の操作画面表示手段において操作入力が受け付けられた時点から、印刷手段による印刷が完了するまでの間にアドレスデータを移動通信端末に向けて送信されるので、利用者以外の者が上記操作入力をしない限り、他の移動通信端末に対して誤って送信されることを確実に防止でき、また利用者は印刷の待ち時間を利用して上記アドレスデータを受け取る操作を行うことができる。
【手続補正２７】
【補正対象書類名】明細書
【補正対象項目名】００３２
【補正方法】変更
【補正の内容】
【００３２】
上記第８の発明によれば、ポート部に移動通信端末が近接したときにアドレスデータが移動通信端末に向けて送信されるので、第２案内提示手段により確実に移動通信端末でアドレスデータを受け取ることができる。
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】変更
【補正の内容】
【００３５】
上記第９の発明によれば、選択される合成画像と選択されない合成画像とを区別可能なように全ての画像データが送信されるので、利用者が選択しなかった合成画像も後からダウンロードすることができ、さらに上記区別をダウンロード時に利用することができる。例えば選択されない合成画像のダウンロードを有料にすることができる。
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】変更
【補正の内容】
【００３７】
上記第３の発明によれば、画像データの送信が完了していなくても制限時間の到来時には確実にアドレスデータが送信されるので、利用者の待ち時間を長くとも制限時間内に抑えることができる。
【手続補正３３】
【補正対象書類名】明細書
【補正対象項目名】００３８
【補正方法】変更
【補正の内容】
【００３８】
上記第４の発明によれば、画像データの送信が完了していない場合に、所定の画像または音声により利用者に案内されるので、利用者が不能であるダウンロードの要求を行うことを予め防止することができる。
上記第１０の発明によれば、上記第１の発明における遊戯用撮影装置と同様の効果を奏する遊技用撮影システムあって、サーバに送信する画像データに所定の条件を設定し、設定された条件に応じて、サーバに記憶された画像データのうち削除する画像データを決定することができる。
【手続補正３４】
【補正対象書類名】明細書
【補正対象項目名】００３９
【補正方法】変更
【補正の内容】
【００３９】
上記第１１の発明によれば、上記第１の発明と同様の効果を当該方法発明において奏することができる。
上記第１２の発明によれば、上記第２の発明と同様の効果を当該方法発明において奏することができる。
上記第１３の発明によれば、上記第１０の発明と同様の効果を当該方法発明において奏することができる。
上記第１４の発明によれば、上記第１の発明と同様の効果を当該プログラム発明において奏することができる。
上記第１５の発明によれば、上記第２の発明と同様の効果を当該プログラム発明において奏することができる。